(57)【特許請求の範囲】
【請求項１】
前面のレンズ部（５）と前記レンズ部（５）の周縁から後方に延設されたレンズ周壁部（６）とを有する左右一対のアイカップ（１）、各アイカップ（１）に接合されたクッション部（３）および左右アイカップ（１）を連結する鼻ベルト（２）を含んでなり、予め金型内にインサートしたアイカップ（１）に対し射出成形法でクッション部（３）が一体に形成されることにより、レンズ周壁部（６）とクッション部（３）とが接合された保護眼鏡において、
前記クッション部（３）と前記クッション部（３）にその外周が抱き込まれたレンズ周壁部（６）との接合面が、前記レンズ周壁部（６）の後面（１６）から前記レンズ部（５）側に向けて前後方向中央を越える範囲に亘って設けられ、
前記クッション部（３）とレンズ周壁部（６）との接合面の総面積のうち、前記レンズ周壁部（６）の後面（１６）に沿う後方接合面（８）を除くレンズ周壁部（６）の外側の側面に沿う側方接合面（７）の面積が、前記後方接合面（８）の面積よりも大とされ、
前記レンズ周壁部（６）における前記側方接合面（７）を除く外側表面が、後方に進むに従って次第に大径になるように後方広がりに傾斜した傾斜面とされ、
かつ、前記クッション部（３）における前方側の外側表面が、後方に進むに従って次第に大径になるように後方広がりに傾斜した傾斜面とされることにより、
クッション部（３）とレンズ周壁部（６）との接合部分におけるレンズ周壁部（６）とクッション部（３）との外側表面が面一とされている
ことを特徴とする保護眼鏡。
【請求項２】
前記レンズ周壁部（６）の側面に沿う側方接合面（７）に、レンズ周壁部（６）側に凹んだ凹部（９）がレンズ周壁部（６）の側面のほぼ全周を囲繞するように形成された
ことを特徴とする請求項１に記載の保護眼鏡。
【請求項３】
レンズ周壁部（６）の後面の内側に前記クッション部（３）に接合されない非接合域（１５）が残され、後面の残余の領域が前記後方接合面（８）とされた
ことを特徴とする請求項１又は２に記載の保護眼鏡。
【発明の詳細な説明】
【０００１】
【発明の属する技術分野】
本発明は、スイミング用、バイクライダー用、産業安全用等の保護眼鏡に関するものである。
【０００２】
【従来の技術】
保護眼鏡とくにスイミングゴーグルについていえば、従来のゴーグル本体としては硬質素材でできたアイカップのみのもの（ノンクッションタイプ）とアイカップの後面（顔当たり面）に軟質樹脂製クッションを接合したものとに大別される。
【０００３】
この後者にあっては、発泡クロロプレンゴム、発泡シリコーンゴム等のシートから打ち抜いて形成されたクッションをアイカップに接着剤で接着するものと、射出成形法で成形したエラストマーやシリコーンゴムを嵌合させ、またはインサート成形法でアイカップに一体に成形するもの（成形クッション）とがある。
この成形クッションの場合、接合の強度が問題となる。接合が適当になされていないと、使用中のクッションの脱落もしくはアイカップとの間に空隙を生じる場合あり、その結果スイミングゴーグルとしての水密性を低下させることになる。このような問題の対策として実公平７−１７３２７号のようにクッションの条溝にリブを設け、アイカップのフランジ部にはこのリブよりも幅狭い条溝を設け、リブを幅狭い条溝に圧力ばめすることにより良好な密着状態を得、水密性を確保しようとするものも提案されている。
【０００４】
しかし、近時、アイカップとクッションの接合についても一般化しつつあるインサート射出成形法による場合、異なる種類の素材の接合であるため、その種類の組合せ如何によっては必要な接合強度が得られない場合も少なくない。
【０００５】
【発明が解決しようとする課題】
本発明は、かかる成形クッションをアイカップに接合する場合に生じる問題に対し、クッション部３とレンズ周壁部６との良好な接合状態が得られる保護眼鏡を提供することを目的とする。
【０００６】
【課題を解決するための手段】
本発明は前記目的を達成するために、次の技術的手段を講じた。すなわち、第１の技術的手段は、前面のレンズ部５と前記レンズ部５の周縁から後方に延設されたレンズ周壁部６とを有する左右一対のアイカップ１、各アイカップ１に接合されたクッション部３および左右アイカップ１を連結する鼻ベルト２を含んでなり、予め金型内にインサートしたアイカップ１に対し射出成形法でクッション部３が一体に形成されることにより、レンズ周壁部６とクッション部３とが接合された保護眼鏡において、前記クッション部３と前記クッション部３にその外周が抱き込まれたレンズ周壁部６との接合面が、前記レンズ周壁部６の後面１６から前記レンズ部５側に向けて前後方向中央を越える範囲に亘って設けられ、前記クッション部３とレンズ周壁部６との接合面の総面積のうち、前記レンズ周壁部６の後面１６に沿う後方接合面８を除くレンズ周壁部６の外側の側面に沿う側方接合面７の面積が、前記後方接合面８の面積よりも大とされ、前記レンズ周壁部６における前記側方接合面７を除く外側表面が、後方に進むに従って次第に大径になるように後方広がりに傾斜した傾斜面とされ、かつ、前記クッション部３における前方側の外側表面が、後方に進むに従って次第に大径になるように後方広がりに傾斜した傾斜面とされることにより、クッション部３とレンズ周壁部６との接合部分におけるレンズ周壁部６とクッション部３との外側表面が面一とされていることを特徴としている。
【０００７】
従って、予め金型内にインサートしたアイカップ１に対し射出成形法でクッション部３を一体に形成する場合、均質かつ高能率の製作に有益である。
また、レンズ周壁部６の側面に沿う側方接合面７の面積が大きくなり、（１）レンズ周壁部６の側面の接線方向に生じ易い剥離力に対する抵抗が大となると共に、（２）結果的には接合面の総面積も増加することとなりクッション部３とレンズ周壁部６の固着が強固となる。
【０００８】
また、レンズ周壁部６の後面１６に沿う後方接合面８を除くレンズ周壁部６の外側の側面に沿う側方接合面７の面積を、レンズ周壁部６の後面に沿う後方接合面８の面積よりも大としたことにより、（１）レンズ周壁部６の側面の接線方向に生じ易い剥離力に対する抵抗が大となると共に、（２）結果的には接合面の総面積も増加することとなりクッション部３とレンズ周壁部６の固着が強固となる。
【０００９】
また、側方接合面７をレンズ周壁部６の外側とすることにより、（１）弾性素材であるクッション部３がアイカップ１外周を抱き込む構造となり接合は極めて強固となると共に、（２）部分的に空隙が生じたときでも水中眼鏡としての使用中は水圧によってクッション部３がアイカップ１に密着し水密性が保たれる。
また、レンズ周壁部６とクッション部３との外側表面が面一であることにより、特に、競泳用水中眼鏡の場合、水中での流体抵抗を小さくする。
【００１０】
第２の技術的手段は、前記レンズ周壁部６の側面に沿う側方接合面７に、レンズ周壁部６側に凹んだ凹部９がレンズ周壁部６の側面のほぼ全周を囲繞するように形成されたことを特徴としている。
従って、レンズ周壁部６側に凹んだ凹部９を、レンズ周壁部６の側面のほぼ全周を囲繞するように形成した場合、対応するクッション部３の凸部が接合面で係合する構造となるので固着が強化される。
【００１１】
第３の技術的手段は、レンズ周壁部６の後面の内側に前記クッション部３に接合されない非接合域１５が残され、後面の残余の領域が前記後方接合面８とされたことを特徴としている。
従って、インサート成形法による場合、レンズ周壁部６の後面の内側に小幅の非接合域１５を残し、後面の残余の領域を後方接合面８とすることにより、インサート成形時に射出したクッション素材がアイカップ１内面に漏出することを防止する効果がある。
【００１２】
【発明の実施の形態】
以下、本発明を図示の実施の形態に従って説明する。図１乃至図３は一実施の形態を示す。同図において、スイミングゴーグルは左右一対のアイカップ１と、これらアイカップ１を連結する鼻ベルト２と、顔面に接当するクッション部３と装着用のベルト４等から構成されている。
【００１３】
アイカップ１は、図１及び図２にも示すように前面のレンズ部５とこのレンズ部５の周縁から後方に延設されたレンズ周壁部６とを備えて成る。
クッション部３とレンズ周壁部６とは互いに接合され、クッション部３とレンズ周壁部６との接合面は、図３に示すようにレンズ周壁部６の後面１６の側端から前後方向中央を越える範囲に亘って設けられており、この接合面は、レンズ周壁部６の側面に沿う側方接合面７とレンズ周壁部６の後面に沿う後方接合面８とを有し、クッション部３とレンズ周壁部６との接合面の総面積のうち、レンズ周壁部６の側面に沿う側方接合面７の面積が、レンズ周壁部６の後面に沿う後方接合面８の面積よりも大とされている。レンズ周壁部６の側面に沿う側方接合面７は、レンズ周壁部６の外側に設けられ、このため、クッション部３がアイカップ１の外周を抱き込む構造となっている。また、クッション部３とレンズ周壁部６との接合部分におけるレンズ周壁部６とクッション部３との外側表面が面一とされている。なお、上記説明から理解される通り、本願でいうクッション部３は、クッション作用を営む後記ヒレ部１７とアイカップ１との接合機能を果たす前方部分とを有する。
【００１４】
前記側方接合面７に、レンズ周壁部６側に凹んだ凹部９が、レンズ周壁部６の側面のほぼ全周を囲繞するように形成されている。また、図１に示すようにレンズ周壁部６の耳方向寄り部分の後面に、接合面としての凹陥部１０が設けられ、該凹陥部１０の内部における接合面の総面積のうち側壁部分１３の面積が、底壁部分１４の面積より大とされている。また、図３に示すようにレンズ周壁部６の後面の内側に、小幅の非接合域１５を残し、後面の残余の領域が前記後方接合面８とされている。
【００１５】
前記アイカップ１は、ポリカーボネート、セルロースプロピオネート等の硬質透明素材により成形されており、クッション部３はアイカップ１と接合する部分を含み同一の素材、すなわちナイロン系、ウレタン系、スチレン系等のエラストマー、シリコーン等の軟質合成樹脂からなっている。
鼻ベルト２とアイカップ１との連結およびアイカップ１とベルト４との連結については公知の技術を適宜選択するものとするが、流水抵抗値を小とするもの、また、フイット性を阻害しないものを採用する。
【００１６】
アイカップ１とクッション部３の接合、一体化は嵌合のみ、または接着剤を使用した接着によっても可能であるが、予め成形されたアイカップ１を金型内にインサートし、金型キャビティ内にクッション部３を形成するためのクッション素材を射出して一体に成形するのが強力な一体化と仕上がりの良好さと言う点で好ましい。
【００１７】
レンズ周壁部６の側面に沿う側方接合面７の面積が、レンズ周壁部６の外側面の総面積の３分の１以上、３分の２以下とするのが望ましい。３分の１以上とするのが固着の強化に有効であり、一方、３分の２を越えると接合面がレンズ面に接近し過ぎて接合の化学的処理などがレンズ内面の防曇層に悪影響を及ぼしたり、不透明なクッション素材によって視野を狭溢化することもあるので３分の２以下とするのが有利である。
【００１８】
レンズ周壁部６の後面の内側に小幅の非接合域１５を残すに際して、その幅は０．２ｍｍ〜１ｍｍの範囲内が好適である。０．２ｍｍ未満ではインサート射出成形時に射出されたクッション素材が接合域から内側に漏出しバリとなって視野を妨げるおそれがあり、一方１ｍｍを越えると後面の接合域が狭くなり固着が弱くなる。
【００１９】
クッション部３が顔面に当接するひれ部１７の先端１７ａはレンズ周壁部６の外面の延長された面１８の内方側内に終止するのが好ましい。長すぎて着用時に外方にはみ出し流水抵抗を増加するのを防ぐ効果がある。
なお、前記実施の形態では、レンズ周壁部６の耳方向寄り部分の後面に、接合面としての凹陥部１０を一個設けているが、これに代え、レンズ周壁部６の耳方向寄り部分の後面に、接合面としての凹陥部１０を２連以上設けたり、又は凹陥部１０を背面図で見て弦月状とし、これによりクッション部３とレンズ周壁部６との接合面積を大とすることが好ましい。
【００２０】
【発明の効果】
本発明によれば、クッション部３とレンズ周壁部６との良好な接合状態が得られる。
【図面の簡単な説明】
【図１】  本発明の一実施の形態を示す半欠平面断面図である。
【図２】  同正面図である。
【図３】  同図１のＡ−Ａ線矢視断面図である。
【符号の説明】
１      アイカップ
２      鼻ベルト
３      クッション部
４      ベルト
５      レンズ部
６      レンズ周壁部
７      側方接合面
８      後方接合面
９      凹部
１０    凹陥部
１３    側壁部分
１４    底壁部分
１５    非接合域
１６    後面
１８    外面の延長された面
【図１】
0004382169.tif 000002
【図２】
0004382169.tif 000003
【図３】
0004382169.tif 000004